(57)【特許請求の範囲】
【請求項１】
光源ユニットをハウジング内に収納し、該ハウジングに吸気口と排気口とを設け、排気口近くにハウジング内の空気を排出する冷却ファンを取付ける一方、光源ユニットを構成するランプが、フィラメントを収納した管壁部と、管壁部内部を外部に対し遮断する封止部と、該封止部から突出する口金とを有する露光装置において、
ハウジング内には筒状の固定枠が固定され、この筒状の固定枠の一端には前記吸気口に対向するエア取り入れ口が備えられ、他端には前記排気口にほぼ対向するエア排出口が備えられて、前記筒状の固定枠の軸に沿って前記エア取り入れ口から前記エア排出口へ向かうエア通路が形成され、
前記エア通路に配設されたリフレクターは、その光軸を前記筒状の固定枠の軸に直交する方向に向けて、前記筒状の固定枠の壁部に形成された開口部に固定され、
ランプの管壁部の一部をリフレクター内に位置させるとともに、ランプの封止部の放熱用フィンを、前記筒状の固定枠の軸に沿ったエア通路におけるエアの流れ方向に対して直交する方向位置させることによって、
冷却用ファンを駆動させることにより、吸気口からハウジング内に吸入されたエアが、ハウジング内の各機器を冷却するとともに、前記筒状の固定枠内のエア通路を通過しながら、エアの流れ方向に直交するランプの封止部の放熱用フィン及びリフレクターを冷却して排気口から排気されるように構成したことを特徴とする露光装置。
【発明の詳細な説明】
【０００１】
【発明の属する技術分野】
本発明は、光源ユニットをハウジング内に収納し、該ハウジングに吸気口と排気口とを設け、排気口近くにハウジング内の空気を排出する冷却ファンを取付ける一方、光源ユニットを構成するランプが、フィラメントを収納した管壁部と、管壁部内部を外部に対し遮断する封止部と、該封止部から突出する口金とを有する露光装置に関する。
【０００２】
【従来の技術】
一般に、写真焼付装置に設ける露光装置は、図６に示すように、ハロゲンランプＢ、リフレクターＣ、調光フィルターＤなどから構成される光源ユニットＡを備えており、これらハロゲンランプＢ、調光フィルターＤ等は、ハウジングＥ内に収納されている。
【０００３】
このハロゲンランプＢは、発光時の発熱量が多いので、ハロゲンランプＢを点灯させると、ハウジングＥ内の温度が上昇していく。従って、ハウジングＥ内の各部品の安全性を確保し、かつ、品質を保証するために、各部品を許容温度内に収まるように冷却する必要がある。
【０００４】
そこで、図６に示すように、ハウジングＥに、吸気口Ｆと排気口Ｇとを設け、排気口Ｇ近くにハウジングＥ内の空気を排出する冷却用ファンＨを取付けている。
【０００５】
【発明が解決しようとする課題】
ところで、ハロゲンランプＢは、図７及び図８に示すように、フィラメントＪを収納した管壁部Ｋと、管壁部Ｋ内部を外部に対し遮断する封止部Ｌと、該封止部Ｌから突出する口金Ｍ，Ｍとを有する構造となっている。この封止部Ｌは、２本の口金Ｍ，Ｍが固定された陶器部Ｐと、該陶器部Ｐに設けられた凹部に流し込まれてフィラメントＪおよび管壁部Ｋの根元部を固定するセメント部Ｎとから構成されている。
【０００６】
なお、各口金Ｍ，Ｍの一端側は、陶器部Ｐに設ける凹部内に突出されており、フィラメントＪの端部と口金Ｍ，Ｍの端部とが接続された状態で、この凹部にセメントが流し込まれる。
【０００７】
前記陶器部Ｐは、熱がこもり易く、従来の写真焼付装置の光源ユニットＡにおいては、ハロゲンランプＢの各部の中でも封止部Ｌの冷却効率が非常に悪かった。その結果、ハウジングＥ内の各部品の冷却を行う際、ハロゲンランプＢの容量が大きくなればなるほど、大容量の冷却用ファンＨが必要となっている。
【０００８】
一方、冷却用ファンＨで排気を行うと、塵や埃をハウジングＥ内に吸い込んでしまう虞があり、この塵や埃によってハウジングＥ内に配置された調光フィルターＤに支障を来してしまうので、これを防止するために、ハウジングＥの吸気口Ｆ近くに防塵フィルターＱを設けている。
【０００９】
しかし、大容量の冷却用ファンＨを使用すると、防塵フィルターＱを介して吸気を行っても、塵埃を吸い込んでしまい、その結果、メンテナンスの頻度が多くなるという不具合が生じている。
【００１０】
また、大容量の冷却用ファンＨを用いると、それだけ全体の形状が大きくなるので、騒音が大きくなるし、さらに、冷却用ファンＨの取付スペースも大きくとらなければならないという不具合も生じる。
【００１１】
本発明は、上記の問題に鑑みて発明したものであって、冷却用ファンの容量を小さくしながら、光源ユニットのハウジング内の冷却を効率よく行える露光装置を提供することを目的とする。
【００１２】
【課題を解決するための手段】
以上の目的を達成するために、本発明は、光源ユニットをハウジング内に収納し、該ハウジングに吸気口と排気口とを設け、排気口近くにハウジング内の空気を排出する冷却ファンを取付ける一方、光源ユニットを構成するランプが、フィラメントを収納した管壁部と、管壁部内部を外部に対し遮断する封止部と、該封止部から突出する口金とを有する露光装置において、ハウジング内には筒状の固定枠が固定され、この筒状の固定枠の一端には前記吸気口に対向するエア取り入れ口が備えられ、他端には前記排気口にほぼ対向するエア排出口が備えられて、前記筒状の固定枠の軸に沿って前記エア取り入れ口から前記エア排出口へ向かうエア通路が形成され、
前記エア通路に配設されたリフレクターは、その光軸を前記筒状の固定枠の軸に直交する方向に向けて、前記筒状の固定枠の壁部に形成された開口部に固定され、
ランプの管壁部の一部をリフレクター内に位置させるとともに、ランプの封止部の放熱用フィンを、前記筒状の固定枠の軸に沿ったエア通路におけるエアの流れ方向に対して直交する方向位置させることによって、
冷却用ファンを駆動させることにより、吸気口からハウジング内に吸入されたエアが、ハウジング内の各機器を冷却するとともに、前記筒状の固定枠内のエア通路を通過しながら、エアの流れ方向に直交するランプの封止部の放熱用フィン及びリフレクターを冷却して排気口から排気されるように構成した。
【００１３】
【発明の実施の形態】
以下、本発明の実施の形態を図面に基づいて説明する。図１及び図２は、写真焼付装置に設ける露光装置の光源ユニット１を示す概略図である。
【００１４】
この光源ユニット１は、図１及び図２に示すように、光源としてのハロゲンランプ３、リフレクター４、熱線吸収フィルター５、調光フィルター６、セットアップフィルター７を備えており、これらの機器をハウジング２内に搭載している。
【００１５】
ハロゲンランプ３は、フィラメント３１を収納した管壁部３２と、管壁部３２内部を外部に対し遮断する封止部３３と、該封止部３３から突出する口金３４，３４とを有する構造となっている。
【００１６】
この封止部３３は、アルミニウム合金からなる放熱用フィン３５と、該放熱用フィン３５に設ける穴部３６内に挿入される陶器部３７と、放熱用フィン３５の穴部３６内にセメントが流し込まれて形成されるセメント部３８とから構成されている。
【００１７】
前記陶器部３７には、２本の口金３４，３４の両端部が突出された状態で固定されており、該陶器部３７は、各口金３４，３４の一端部が放熱用フィン３５から突出するように該放熱用フィン３５に設ける穴部３６内に挿入されている。
【００１８】
さらに、セメント部３８は、セメントを放熱用フィン３５の穴部３６内に流し込む前に、該穴部３６内に陶器部３７を挿入しておき、穴部３６内でこの陶器部３７に固定されている口金３４，３４の他端部とフィラメント３１の端部とを接続させておいて、穴部３６にセメントを流し込むことにより、陶器部３７と、フィラメント３１および管壁部３２の根元部とを放熱用フィン３５に対し固定した状態となるように形成されている。
【００１９】
ハウジング２の一側部には吸気口２１が、また、他側部には排気口２２がそれぞれ形成されており、吸気口２１近くには、エアフィルター２３が取り付けられ、排気口２２近くには、冷却用ファン２４が取り付けられている。
【００２０】
また、ハウジング２内には、リフレクター４を固定するための固定枠８が固定されている。この固定枠８は、図１に示すように、左側に吸気口２１に対向するエア取り入れ口８３を、右側に排気口２２にほぼ対向するエア排出口８４を備えた角筒状に形成され、上壁部には、リフレクター４を嵌め込んで固定する上部開口部８１を、底壁部には、ハロゲンランプ３を挿通させる下部開口部８２が設けられている。
【００２１】
そして、固定枠８をハウジング２に固定するに際しては、まず、ハロゲンランプ３の口金３４，３４を、ハウジング２に設けたランプ用ソケット２５に差込み、リフレクター４を固定枠８の上部開口部８１に固定させておいて、固定枠８の下部開口部８２にハロゲンランプ３を挿通させ、該ハロゲンランプ３の管壁部３２の一部をリフレクター４内に位置させて、固定枠８の両側の開放部８３，８４を吸気口２１および排気口２２に対向させた状態で、固定枠８をハウジング２に固定するのである。
このようにリフレクター４を固定枠８に固定することによって、図１に示したように、リフレクター４は前記エア通路に配設され、その光軸は前記筒状の固定枠８の軸に直交する方向に向けて固定される。そして、ハロゲンランプ３の管壁部３２の一部をリフレクター４内に位置させるとともに、ハロゲンランプ３の封止部３３の放熱用フィン３５を、前記筒状の固定枠８の軸に沿ったエア通路に位置させている。
このような配置によって、冷却用ファン２４を駆動させることにより、吸気口２１からハウジング２内に吸入されたエアが、ハウジング２内の各機器を冷却するとともに、前記筒状の固定枠８内を、この筒状の固定枠８の軸に沿ったエア通路を通過しながら、エアの流れ方向に直交するランプの封止部の放熱用フィン３５及びリフレクター４をより効率良く冷却して排気口から排気されるように構成されている。
【００２２】
また、ハウジング２の天井部には、ハロゲンランプ３の露光光の通路となる露光口２６が設けられており、また、露光口２６の下方には、セットアップフィルター７が配設され、リフレクター４の開口部近くには、該開口部を覆うように熱線吸収フィルター５が配設されている。
【００２３】
さらに、調光フィルター６は、熱線吸収フィルター５とセットアップフィルター７との間に配設されており、駆動装置（図示せず）により、ハロゲンランプ３の光路内に進入または後退させるようにしている。
【００２４】
以上の構成から、冷却用ファン２４を駆動させることにより、吸気口２１と排気口２２とを結ぶエア通路が形成されるのであって、ハウジング２の吸気口２１から外部の空気が吸引され、この吸気口２１からエアフィルター２３を介してハウジング２内に吸入されたエアは排気口２２から排気される。
【００２５】
このとき、吸気口２１からハウジング２内に吸入されたエアは、エア通路に位置される調光フィルター６などのハウジング２内に配設する各機器を冷却しながら、排気口２２から排気されるのである。
【００２６】
ところで、固定枠８は、エア取り入れ口８３を吸気口２１に、エア排出口８４エアを排気口２２にそれぞれ対向させてハウジング２内に配設しているので、この固定枠８内にもエア取り入れ口８３とエア排出口８４とを結ぶ固定枠の軸に沿ったエア通路が形成される。その結果、固定枠８のエアフィルター２３側の開放部８３からエアが流入し、固定枠８内を通過しながらリフレクター４及びハロゲンランプ３を冷却して、固定枠８の排気口２２側の開口部８４からエアが流出する。
【００２７】
以上の構成において、本発明の実施の形態では、ハロゲンランプ３の封止部３３の冷却効率を上げるために、該封止部３３の放熱用フィン３５を、固定枠８内に形成されるエア通路上に位置させるようにしたのである。
【００２８】
封止部３３の放熱用フィン３５は、アルミニウム合金で射出成形されており、図３乃至図５に示すような複数枚のフィン部３９を備えている。
【００２９】
これらフィン部３９は、図５に示すように、陶器部３７を挿入した穴部３６近くから同方向に平行させて延設しており、中央部のフィン部３９が最も長さが長く、中央から両側に向かって徐々に長さが短くなっていくように形成して、エア通路を流れるエアが各フィン部３９の全体に接触しやすくなるようにしている。
【００３０】
さらに、ハロゲンランプ３をハウジング２内に固定する際、封止部３３の放熱用フィン３５の各フィン部３９が、筒状の固定枠８の軸に沿って形成されるエア通路におけるエアの流れ方向に対し直交する方向に延びるように位置させて、ハロゲンランプ３を固定するのである。
【００３１】
このように、封止部３３に複数枚のフィン部３９からなる放熱用フィン３５を形成しているので、封止部３３のエアと接触する接触面積が大きくとれることとなり、封止部３３のエアによる冷却を効率良く行える。
【００３２】
従って、放熱用フィン３５の穴部３６内にあるセメント部３８および陶器部３７で生じる熱の放熱を放熱用フィン３５を介して効率よく行え、従来に比べて封止部３３全体の冷却効率を向上させられるのである。
【００３３】
しかも、各フィン部３９は、放熱効果の大きいアルミニウム合金で形成しているので、より冷却効率を向上できる。
【００３４】
さらに、ハロゲンランプ３をハウジング２内に固定する際、封止部３３の放熱用フィン３５の各フィン部３９を、筒状の固定枠８の軸に沿って形成されるエア通路のエアの流れ方向に対し直交する方向に延びるように位置させているので、エア通路を流れるエアを放熱用フィン３５の各フィン部３９へ効率よく接触させられ、冷却効率を上げられるのである。
【００３５】
以上のようにハロゲンランプ３の封止部３３に放熱用フィン３５を形成して、この放熱用フィン３５を、筒状の固定枠８の軸に沿って形成されるエア通路上に位置させるようにしているので、封止部３３の冷却効率を向上できる。
【００３６】
その結果、ハウジング２内の温度を従来と同様の許容温度以内に冷却を行う場合には、従来の冷却用ファンと比較して約半分の容量で冷却が行えるようになる。従って、電気コストを低減できるし、エアの流量も少なくできるので、吸気口２１からエアと共に吸入される塵埃の量も低減できるのである。
【００３７】
さらに、冷却用ファン２４の容量を従来に比べて少なくできるので、冷気用ファンそのものの大きさを小さくでき、製造コストの低廉化が図れ、取付スペースも小さくでき、騒音も小さくできる。
【００３８】
また、リフレクター４を固定する固定枠８を利用して、該固定枠８を筒状に形成すると共に、エア取り入れ口８３を吸気口２１に、エア排出口８４エアを排気口２２にそれぞれ対向させて、前記筒状の固定枠の内部に、前記筒状の固定枠の軸に沿ったエア通路を積極的に形成し、このエア通路を流れるエアによって、前記筒状の固定枠の内部のハロゲンランプ３およびリフレクター４を冷却するように形成した。
前記エア通路に配設されたリフレクター４は、その光軸を前記筒状の固定枠８の軸に直交する方向に向けて、前記筒状の固定枠８の壁部に形成された上部開口部８１に固定され、ハロゲンランプ３の管壁部３２の一部をリフレクター４内に位置させるとともに、ハロゲンランプ３の封止部３３の放熱用フィン３５を、前記筒状の固定枠８の軸に沿ったエア通路に位置させている。
このような構成によって、冷却用ファン２４を駆動させることにより、吸気口２１からハウジング２内に吸入されたエアが、ハウジング２内の各機器を冷却するとともに、前記筒状の固定枠８内のエア通路を通過しながら、固定枠８の軸に沿ったエアの流れ方向に直交するランプの封止部の放熱用フィン３５及びリフレクター４をより効率良く冷却して排気口から排気されるように構成されている。
【００３９】
【発明の効果】
本発明によれば、光源ユニットをハウジング内に収納し、該ハウジングに吸気口と排気口とを設け、排気口近くにハウジング内の空気を排出する冷却ファンを取付ける一方、光源ユニットを構成するランプが、フィラメントを収納した管壁部と、管壁部内部を外部に対し遮断する封止部と、該封止部から突出する口金とを有する露光装置において、ハウジング内には固定枠が固定され、この固定枠には、吸気口に対向するエア取り入れ口と排気口にほぼ対向するエア排出口とが備えられて、吸気口と排気口とを結ぶエア通路が形成され、固定枠の上壁部に形成された上部開口部にはリフレクターが嵌め込んで固定され、ランプの管壁部の一部をリフレクター内に位置させるとともに、ランプの封止部の放熱用フィンを、固定枠の軸に沿ったエアの流れ方向に直交する方向に位置させることによって、冷却用ファンを駆動させることにより、吸気口からハウジング内に吸入されたエアが、ハウジング内の各機器を冷却するとともに、固定枠内のエア通路を通過しながら、固定枠の軸に沿ったエアの流れ方向に直交するランプの封止部の放熱用フィン及びリフレクターを冷却して排気口から排気される構成としたから、吸気口からハウジング内に吸入されたエアによって放熱用フィンが効率よく冷却されるので、ランプの封止部が効率良く冷却される。
【００４０】
従って、封止部内部で生じる熱の放熱を放熱用フィンを介して効率よく行え、従来に比べて封止部全体の冷却効率を向上させられるのである。
【００４１】
この結果、ハウジング内の温度を従来と同様の許容温度以内となるように冷却を行う場合には、従来の冷却用ファンと比較して約半分の容量で冷却が行えるようになり、電気コストを低減できるし、エアの流量も少なくできるので、吸気口からエアと共に吸入される塵埃の量も低減できるのである。
【００４２】
さらに、冷却用ファンの容量を従来に比べて少なくできるので、冷気用ファンそのものの大きさを小さくでき、製造コストの低廉化が図れ、取付スペースも小さくでき、騒音も小さくできる。
【図面の簡単な説明】
【図１】本発明にかかる写真焼付装置における光源ユニットの概略断面構成図である。
【図２】図１の光源ユニットを防塵フィルター側から見た概略断面図である。
【図３】本発明にかかるハロゲンランプの正面図である。
【図４】図３のハロゲンランプの側面図である。
【図５】図３のハロゲンランプの下面図である。
【図６】従来の写真焼付装置における光源ユニットの概略断面構成図である。
【図７】従来のハロゲンランプの正面図である。
【図８】図７のハロゲンランプの側面図である。
【符号の説明】
１ 光源ユニット
２ ハウジング
２１ 吸気口
２２ 排気口
２４ 冷却用ファン
３ ハロゲンランプ
３１ フィラメント
３２ 管壁部
３３ 封止部
３４ 口金
３５ 放熱用フィン
８    固定枠
８３  エア取り入れ口
８４  エア排出口
【図１】
0003633347.tif 000002
【図２】
0003633347.tif 000003
【図３】
0003633347.tif 000004
【図４】
0003633347.tif 000005
【図５】
0003633347.tif 000006
【図６】
0003633347.tif 000007
【図７】
0003633347.tif 000008
【図８】
0003633347.tif 000009